(57)【要約】【課題】少ない種類のジョイントで多様な組立てが可能であり、製造も容易で、低コストで提供できる組立てブロックを提供する。【解決手段】平面形状が正方形及び正三角形のブロック板１と、このブロック板１同士を連結するジョイント２との組み合わせから成る組立てブロックにおいて、前記ブロック板１を、可撓性を有する金属薄板等の板材から形成して、ブロック板１の周囲各辺に受口５を設け、この受口５に誘導用ポケット６を形成し、前記ジョイント２を、撓めて曲げられる一枚の板から成るものとして、ジョイント２の両側に差込片８を設け、この差込片８を誘導用ポケット６を介してブロック板１の受口５に差し込むと、ブロック板１同士が連結されるようにする。【選択図】図３３
2006132762.tif 000002
【特許請求の範囲】
【請求項１】
平面形状が正方形及び正三角形のブロック板と、このブロック板同士を連結するジョイントとの組み合わせから成る組立てブロックにおいて、前記ブロック板を、可撓性を有する板材から形成して、ブロック板の周囲各辺に受口を設け、この受口に誘導用ポケットを形成し、前記ジョイントを、撓めて曲げられる一枚の板から成るものとして、ジョイントの両側に差込片を設け、この差込片を誘導用ポケットを介してブロック板の受口に差し込むと、ブロック板同士が連結されるようにしたことを特徴とする組立てブロック。
【請求項２】
前記ブロック板の受口に、複数枚のジョイントを重ねて差し込めるようにしたことを特徴とする請求項１に記載の組立てブロック。
【請求項３】
前記差込片がブロック板に係合して受口から抜け止めされ、ブロック板同士の連結状態が維持されるようにしたことを特徴とする請求項１又は２に記載の組立てブロック。
【請求項４】
前記ブロック板を、二枚の基板を重ね合わせて形成し、この二枚の基板間に受口を設けたことを特徴とする請求項１乃至３のいずれかに記載の組立てブロック。
【請求項５】
前記ブロック板を、基板の周囲各辺から延びる折返板を片面側へ折り返して形成し、基板と折返板の稜部に切目を入れて受口を設けたことを特徴とする請求項１乃至３のいずれかに記載の組立てブロック。
【発明の詳細な説明】
【技術分野】
【０００１】
この発明は、ブロック板をジョイントを介して順次連結することにより、三次元的な立体を組み立てることができる組立てブロックに関するものである。
【背景技術】
【０００２】
従来、本出願人は、下記特許文献１に記載した発明に基づいて、平面形状が正方形及び正三角形のブロック板と、このブロック板同士を連結するジョイントとの組み合わせから成る組立てブロックを提供している。
【０００３】
この組立てブロックのブロック板及びジョイントは、硬質プラスチックを成型したものであり、ブロック板の周囲各辺には連結用の受口が形成され、ジョイントには受口に嵌合するプラグが少なくとも二方向へ向けて突設されている。
【０００４】
ジョイントには連結態様に応じて種類があり、プラグが同一平面で二方向に突出するもの、直交する二方向に突出するもの、直交する三方向に突出するもの、１２０°の角度で二方向に突出するもの、プラグの基端間の幅が異なるものなどが用意されている。
【０００５】
【特許文献１】特許第３２２１６３７号公報
【発明の開示】
【発明が解決しようとする課題】
【０００６】
しかしながら、上記のような組立てブロックでは、ブロック板の連結角度や枚数が使用するジョイントによって限定されるため、多種類のジョイントを用意しても、組立てられる形状には制約がある。
【０００７】
また、ブロック板の受口とジョイントのプラグとの嵌合強度を適度に設定するため、寸法精度を維持しなければならず、製品の厳密な寸法管理が必要になり、製造にコストがかかるという問題がある。
【０００８】
そこで、この発明は、少ない種類のジョイントで多様な組立てが可能であり、製造も容易で、低コストで提供できる組立てブロックを提供することを課題とする。
【課題を解決するための手段】
【０００９】
上記のような課題を解決するため、この発明は、平面形状が正方形及び正三角形のブロック板を、可撓性を有する板材から形成して、ブロック板の周囲各辺に受口を設け、この受口に誘導用ポケットを形成し、ジョイントを、撓めて曲げられる一枚の板から成るものとして、ジョイントの両側に差込片を設け、この差込片を誘導用ポケットを介してブロック板の受口に差し込むと、ブロック板同士が連結されるようにしたのである。
【００１０】
また、前記ブロック板の受口に、複数枚のジョイントを重ねて差し込めるようにしたのである。
【００１１】
また、前記差込片がブロック板に係合して受口から抜け止めされ、ブロック板同士の連結状態が維持されるようにしたのである。
【００１２】
なお、この組立てブロックにおいては、前記ブロック板を、二枚の基板を重ね合わせて形成し、この二枚の基板間に受口を設けるとよい。
【００１３】
また、前記ブロック板を、二枚の基板を固着した構成に替えて、一枚の基板の周囲各辺から延びる折返板を片面側へ折り返して形成し、基板と折返板の稜部に切目を入れて受口を設けてもよい。
【発明の効果】
【００１４】
この組立てブロックでは、ジョイントを任意の角度に曲げることにより、様々な角度に屈曲した面やひねりのある面を構成することができるほか、ブロック板の受口に複数枚のジョイントを差し込んで、これらを適宜曲げることにより、複数の方向へブロック板を連結することもできる。
【００１５】
このため、多種類のジョイントを用意することなく、様々な立体を組み立てることができ、また、厳密な寸法管理も要求されないので、製造コストも抑制できる。
【００１６】
そして、玩具として利用するだけでなく、工芸品や装飾品、照明器具のシェード等の実用品のほか、建築構造物の組み立てに利用することもできる。
【発明を実施するための最良の形態】
【００１７】
まず、プラスチック板を材料とする実施形態を図１乃至図２４に基づいて説明する。
【００１８】
この組立てブロックは、図１及び図２に示すようなブロック板１と、図３乃至図５に示すようなジョイント２とから構成される。ブロック板１には、図１に示すように、平面形状が正方形のものと、図２に示すように、平面形状が正三角形のものとがあり、これらの一辺の長さは等しく、厚さも同一になっている。
【００１９】
図１及び図２に示すブロック板１は、可撓性を有するプラスチック製の基板３を二枚貼り合わせて形成したものであり、これらの二枚の基板３は、各コーナーの接合部４において、熱溶着等により貼り合わされている。
【００２０】
ブロック板１の周囲各辺には、二枚の基板３の隙間に受口５が設けられ、受口５に臨む一枚の基板３の端縁には、中央側が窪むように切り欠いて、誘導用のポケット６が形成されている。
【００２１】
また、受口５に臨む基板３の端縁中央部から内側へ少し離れて、下側の基板３には、楕円状の盛上部の内側半分を切除した係止突起９が設けられ、上側の基板３には、係止突起９を回避する膨出部１１が形成されている。
【００２２】
図３乃至図５に示すジョイント２は、ブロック板１の基板３より柔らかく、撓めて曲げられる一枚のプラスチック板から成り、その両側には端縁の中央側がテーパ状に突き出した差込片８が設けられている。差込片８の端縁寄り中央部には、係止穴７が設けられ、係止穴７の外端縁は内側へ向けて弧状に張り出している。
【００２３】
これらのジョイント２のうち、図３に示すものは基本形式であり、図４に示すものは、図３に示すものを中央の罫線１０に沿って予め１２０°の角度で折り曲げた形式となっている。図５に示すものは、図３に示すものより幅が広い形式となっている。
【００２４】
このような組立てブロックにおいて、ブロック板１同士をジョイント２により連結するには、図６及び図７に示すように、ジョイント２の差込片８を各ブロック板１の受口５に差し込む。このとき、ポケット６に差込片８の突出部を合わせると、差込片８が受口５に誘導されるので、差込片８を受口５に容易に差し込むことができる。
【００２５】
そして、差込片８を受口５に奥まで押し込むと、図７及び図８に示すように、係止突起９が係止穴７に係合して、差込片８が受口５から抜け止めされ、ブロック板１同士の連結状態が維持される。このとき、係止穴７の外端縁の張出部が係止突起９の内側に嵌まり込むので、抜止効果は強力なものとなる。
【００２６】
このようにして、ブロック板１同士をジョイント２を介して連結すると、図９及び図１０に示すように、ジョイント２を任意の角度に曲げることができるので、様々な角度に屈曲した面を構成することができる。
【００２７】
また、図１１に示すように、正三角形のブロック板１を順次連結して、ジョイント２を曲げると、ひねりのある面を構成することもできる。
【００２８】
さらに、図１２に示すように、ブロック板１の受口５に、複数枚のジョイント２を差し込んで適宜曲げることにより、複数の方向へブロック板１を連結することもできる。
【００２９】
また、二枚のブロック板１だけを連結する場合にも、受口５に複数枚のジョイント２を差し込んでおくと、受口５から差込片８が確実に抜け止めされ、ブロック板１の連結状態を安定させることができる。
【００３０】
なお、立体の組み立てに際して、ブロック板１同士を１２０°の角度で連結する場合には、図４に示す予め折り曲げられたジョイント２を使用すればよく、図１３に示す連結例の下段部のように、隣り合うブロック板１の間隔が大きくなる部分には、図５に示す幅の広いジョイント２を使用すればよい。
【００３１】
このような組立てブロックによると、図１４に示す作例のように、正方形及び正三角形のブロック板１を適宜組み合わせ、自由な角度で連結して、多様な面構成の立体を組み立てることができる。また、ブロック板１及びジョイント２を透明なものとしたり、着色したりして、デザイン的に変化を与えることもできる。
【００３２】
ところで、ブロック板１とジョイント２の係合部分では、図１５及び図１６に示すように、ブロック板１に二枚の基板３を貫通する係止穴７を設け、図１７乃至図１９に示すように、ジョイント２に打ち上げによる三角錐状の係止突起９を設けて、図２０乃至図２２に示すように、差込片８を受口５に差し込んだとき、ジョイント２の係止突起９がブロック板１の係止穴７に係合するようにしてもよい。
【００３３】
また、ブロック板１の構成においては、図２３及び図２４に示すように、二枚の基板３を、その中央部分の接合部４で貼り合わせるようにしてもよい。この場合、接合部４の形状を、ジョイント２の差込片８の先端部が嵌まり込むようにしておくと、ジョイント２がブロック板１に対し位置決めされて安定する。
【００３４】
次に、金属薄板を材料とする実施形態を図２５乃至図３５に基づいて説明する。なお、ここでは、上記プラスチック板を材料とする実施形態と機能的に対応する部分には、同一の符号を使用する。
【００３５】
この組立てブロックは、図２５及び図２６に示すようなブロック板１と、図２７乃至図２９に示すようなジョイント２とから構成され、これらはステンレス、アルミニウム等の金属薄板を打ち抜き、プレスして成形されている。
【００３６】
上記ブロック板１には、図２５に示すように、平面形状が正方形のものと、図２６に示すように、平面形状が正三角形のものとがあり、これらの一辺の長さは等しく、厚さも同一になっている。
【００３７】
これらのブロック板１は、基板３の周囲各辺から延びる折返板１２を片面側へ折り返して形成され、基板３と各折返板１２の稜部には、切目を入れて受口５が設られている。受口５の中央部分には、基板３と折返板１２とを膨らませて誘導用ポケット６が形成され、また、基板３には、各折返板１２の弧状端縁に径が臨むように、半円形状の係止穴７が内側へ向けて設けられている。
【００３８】
図２７乃至図２９に示すジョイント２は、撓めて曲げられる一枚の金属薄板から成り、その両側には端縁の中央側が丸みを帯びて突き出した差込片８が設けられている。差込片８の端縁寄り中央部には、楕円状の盛上部の内側半分を切除した係止突起９が設けられ、その内側には貫穴１３が形成されている。
【００３９】
これらのジョイント２のうち、図２７に示すものは基本形式であり、図２８に示すものは、図２７に示すものより幅が広い形式となっている。図２９に示すものは、図２７に示すものを中央の罫線１０に沿って予め９０°の角度で折り曲げた形式となっている。
【００４０】
このような組立てブロックにおいて、ブロック板１同士をジョイント２により連結するには、図３０及び図３１に示すように、ジョイント２の差込片８を各ブロック板１の受口５に差し込む。このとき、ポケット６に差込片８の突出部を合わせると、差込片８が受口５に誘導されるので、差込片８を受口５に容易に差し込むことができる。なお、係止突起９は、ブロック板１の折返板１２及び基板３のいずれの方向に向けてもよい。
【００４１】
そして、差込片８を受口５に奥まで押し込むと、図３１及び図３２に示すように、係止突起９が折返板１２の方向に向いているときには、折返板１２の端縁に係合し、基板３の方向に向いているときには、係止穴７の端縁に係合して、差込片８が受口５から抜け止めされ、ブロック板１同士の連結状態が維持される。
【００４２】
このようにして、ブロック板１同士をジョイント２を介して連結すると、図３３に示すように、ジョイント２を任意の角度に曲げることができるので、様々な角度に屈曲した面を構成することができる。
【００４３】
また、図３４に示すように、ブロック板１の受口５に複数枚のジョイント２を差し込んで、複数の方向へ向けてブロック板１を連結することもできる。このとき、ブロック板１の連結角度が９０°に決まっている場合には、図２９に示す予め折り曲げられたジョイント２を使用するとよい。
【００４４】
このような組立てブロックによると、図３５に示す作例のように、正方形及び正三角形のブロック板１を適宜組み合わせ、自由な角度で連結して、金属独特の無機的な質感を有する多様な面構成の立体を組み立てることができる。なお、隣り合うブロック板１の間隔が大きくなる部分には、図２８に示す幅の広いジョイント２を使用すればよい。
【００４５】
一方、組み立て直し等のため、ブロック板１とジョイント２とを分離するには、表裏に凸部を有する板状の補助具を受口５に差し込み、係止突起９が係合している折返板１２又は基板３を補助具の凸部で裏側から押して撓ませつつ、ジョイント２を少し引っ張って係止突起９の係合を解除し、差込片８を受口５から引き抜くとよい。
【００４６】
次に、この発明に係る組立てブロックを建築構造物に利用する場合の実施形態について図３６及び図３７に基づいて説明する。
【００４７】
この実施形態では、図３６に示すように、ブロック板１を比較的厚いプラスチック又は金属製の二枚の基板３を重ね合わせて形成し、一方の基板３のコーナー部分にねじ穴１４ａを、他方の基板３のコーナー部分に貫穴１４ｂを形成しておく。
【００４８】
そして、ビス１５を貫穴１４ｂを介しねじ穴１４ａに軽くねじ込んだ状態で、ブロック板１を仮組みしておき、建築物の組み立てに際し、受口５にジョイント２の差込片８を差し込み、ブロック板１を連結した後、ビス１５を固く締め付けて、ブロック板１とジョイント２を固定する。
【００４９】
このような組立てブロックを使用すると、例えば、図３７に示すような塀及びその支柱や、正三角形のブロック体を組み合わせたドーム状の屋根を有する建屋など、従来の建築物とは異なった印象を与える種々の建築物を組み立てることができる。
【図面の簡単な説明】
【００５０】
【図１】プラスチック板から成る正方形ブロック板の第一形態を示す斜視図
【図２】同上の正三角形ブロック板の第一形態を示す斜視図
【図３】同上の基本形式ジョイントの第一形態を示す斜視図
【図４】同上の折曲形式ジョイントの第一形態を示す斜視図
【図５】同上の広幅形式ジョイントの第一形態を示す斜視図
【図６】同上の第一形態ブロック板へのジョイント差込過程を示す斜視図
【図７】同上の第一形態ブロック板のジョイントを介した連結状態を示す斜視図
【図８】同上の第一形態ブロック板とジョイントの係合部を示す断面図
【図９】同上のブロック板を連結したジョイントの折曲状態を示す斜視図
【図１０】同上の折曲角度を変化させる状態を示す側面図
【図１１】同上のひねりのある折曲状態を示す斜視図
【図１２】同上の三方向への連結状態を示す斜視図
【図１３】同上の広幅形式ジョイントを使用した連結例を示す平面図
【図１４】同上の組立てブロックの作例を示す斜視図
【図１５】同上の正方形ブロック板の第二形態を示す斜視図
【図１６】同上の正三角形ブロック板の第二形態を示す斜視図
【図１７】同上の基本形式ジョイントの第二形態を示す斜視図
【図１８】同上の折曲形式ジョイントの第二形態を示す斜視図
【図１９】同上の広幅形式ジョイントの第二形態を示す斜視図
【図２０】同上の第二形態ブロック板へのジョイント差込過程を示す斜視図
【図２１】同上の第二形態ブロック板のジョイントを介した連結状態を示す斜視図
【図２２】同上の第二形態ブロック板とジョイントの係合部を示す断面図
【図２３】同上の正方形ブロック板の第三形態を示す斜視図
【図２４】同上の正三角形ブロック板の第三形態を示す斜視図
【図２５】金属薄板から成る正方形ブロック板の形態を示す斜視図
【図２６】同上の正三角形ブロック板の形態を示す斜視図
【図２７】同上の基本形式ジョイントの形態を示す斜視図
【図２８】同上の広幅形式ジョイントの形態を示す斜視図
【図２９】同上の折曲形式ジョイントの形態を示す斜視図
【図３０】同上のブロック板へのジョイント差込過程を示す斜視図
【図３１】同上のブロック板のジョイントを介した連結状態を示す斜視図
【図３２】同上のブロック板とジョイントの係合部を示す断面図
【図３３】同上のブロック板を連結したジョイントの折曲状態を示す斜視図
【図３４】同上の三方向への連結状態を示す斜視図
【図３５】同上の組立てブロックの作例を示す斜視図
【図３６】建築用組立てブロックの形態を示す分解斜視図
【図３７】同上の塀及び支柱の作例を示す斜視図
【符号の説明】
【００５１】
１  ブロック板
２  ジョイント
３  基板
４  接合部
５  受口
６  ポケット
７  係止穴
８  差込片
９  係止突起
１０  罫線
１１  膨出部
１２  折返板
１３  貫穴
１４ａ  ねじ穴
１４ｂ  貫穴
１５  ビス
【図１】
2006132762.tif 000003
【図２】
2006132762.tif 000004
【図３】
2006132762.tif 000005
【図４】
2006132762.tif 000006
【図５】
2006132762.tif 000007
【図６】
2006132762.tif 000008
【図７】
2006132762.tif 000009
【図８】
2006132762.tif 000010
【図９】
2006132762.tif 000011
【図１０】
2006132762.tif 000012
【図１１】
2006132762.tif 000013
【図１２】
2006132762.tif 000014
【図１３】
2006132762.tif 000015
【図１４】
2006132762.tif 000016
【図１５】
2006132762.tif 000017
【図１６】
2006132762.tif 000018
【図１７】
2006132762.tif 000019
【図１８】
2006132762.tif 000020
【図１９】
2006132762.tif 000021
【図２０】
2006132762.tif 000022
【図２１】
2006132762.tif 000023
【図２２】
2006132762.tif 000024
【図２３】
2006132762.tif 000025
【図２４】
2006132762.tif 000026
【図２５】
2006132762.tif 000027
【図２６】
2006132762.tif 000028
【図２７】
2006132762.tif 000029
【図２８】
2006132762.tif 000030
【図２９】
2006132762.tif 000031
【図３０】
2006132762.tif 000032
【図３１】
2006132762.tif 000033
【図３２】
2006132762.tif 000034
【図３３】
2006132762.tif 000035
【図３４】
2006132762.tif 000036
【図３５】
2006132762.tif 000037
【図３６】
2006132762.tif 000038
【図３７】
2006132762.tif 000039